(57)【要約】本明細書には、情報キャプチャシステム及び関連方法が開示される。情報キャプチャシステムは、起こり得るイベントに関与するように構成されている物体に固定されたセンサを含む。センサは、起こり得るイベントに関連付けられた１つ以上の刺激を検出し、１つ以上の刺激に対応するデータを示すセンサ信号を送信するように構成されている。情報キャプチャシステムはまた、センサ信号から判別されたトリガイベントに応答して、情報を記録するように構成されている記録デバイスを含む。方法は、センサからのセンサデータを分析することと、トリガイベントが発生したことをセンサデータから判別することと、トリガイベントの判別に次いでトリガ後の情報を記録することと、を含む。
2019503604.tif 000002
【特許請求の範囲】
【請求項１】
情報キャプチャシステムであって、
起こり得るイベントに関与するように構成されている物体に固定されたセンサであって、前記起こり得るイベントに関連付けられた１つ以上の刺激を検出し、前記１つ以上の刺激に対応するデータを示すセンサ信号を送信するように構成されているセンサと、
前記センサ信号から判別されたトリガイベントに応答して、情報を記録するように構成されている記録デバイスと、を含む、情報キャプチャシステム。
【請求項２】
前記記録デバイスが、
前記センサからの前記センサ信号を受信することと、
前記ビデオ記録デバイスが非活動状態である間に活動状態を維持することと、
前記トリガイベントに応答して、電源を投入して活動状態にし、前記情報を記録するよう、前記ビデオ記録デバイスに命令することと、を行うように構成されている、低電力無線通信デバイスを含む、請求項１に記載の情報キャプチャシステム。
【請求項３】
前記物体が、サーフボード、スケートボード、スノーボード、ウェイクボード、スキー、心拍計、自転車、オートバイ、カヤック、スタンドアップパドルボード、カヌー、全地形対応車、自動車、ランプ、ボール、野球バット、ゴルフクラブ、ホッケースティック、グローブ、衣類、帽子、ヘルメット、腕時計、ブレスレット、アームバンド、レッグバンド、ヘッドバンド、靴、眼鏡、杖、鏡、及びドアからなる群から選択される物体を含む、請求項１に記載の情報キャプチャシステム。
【請求項４】
前記センサが、加速度計、歩数計、圧力センサ、静電容量式タッチセンサ、温度センサ、熱センサ、ジャイロスコープ、心拍センサ、動作センサ、赤外線センサ、光センサ、音響センサ、水分センサ、ひずみゲージ、画像センサ、環境光センサ、近接センサ、コネクタが接続及び接続解除されたときを感知するコネクタ、屈曲センサ、並びに全地球測位システムセンサからなる群から選択される少なくとも１つのセンサを含む、請求項１に記載の情報キャプチャシステム。
【請求項５】
前記記録デバイスが、
ビデオデータを絶えず記録し格納することと、
現時点より前の少なくとも既定のバッファ期間に記録された前記ビデオデータを削除することと、
前記トリガイベントに応答して、前記現時点より前の前記既定のバッファ期間に記録された前記ビデオデータの削除を停止することと、を行うように構成されている、ビデオ画像キャプチャデバイスを含む、請求項１に記載の情報キャプチャシステム。
【請求項６】
前記バッファ期間中に記録された前記ビデオデータが、前記トリガイベントより後に記録された前記ビデオデータとは異なる画像解像度である、請求項５に記載の情報キャプチャシステム。
【請求項７】
ある場所に定置された通信デバイスを更に含み、前記通信デバイスが、地理的位置情報による起動又は閾値による起動のうちの１つ以上に応答して前記記録デバイスのトリガを有効にするため、前記場所の既定の範囲内の検出信号を送信するように構成されている、請求項１に記載の情報キャプチャシステム。
【請求項８】
前記記録デバイスが、対象の領域をカバーする地理的位置情報をもとにした送信機の既定の範囲外へ移動されることに応答して、記録を停止するように構成されている、請求項１に記載の情報キャプチャシステム。
【請求項９】
前記記録デバイスが、ウェアラブルな記録デバイスを含む、請求項１に記載の情報キャプチャシステム。
【請求項１０】
前記センサが、全地球測位システム（ＧＰＳ）センサを含み、前記記録デバイスが既定の場所に入っている又はそこから出ているうちの少なくとも１つであることを判別する前記ＧＰＳセンサの検出に応答して、前記記録デバイスがトリガされるように構成されている、請求項１に記載の情報キャプチャシステム。
【請求項１１】
情報キャプチャシステムであって、
法執行官による銃器の潜在的な使用の検出に応答して、検出信号を生成するように構成されているセンサと、
前記銃器の前記潜在的な使用のビデオ画像を記録し、前記ビデオ記録デバイスのデータ記憶域デバイスに前記ビデオ画像を格納するように構成されている、ビデオ記録デバイスと、
前記検出信号に応答して、前記ビデオ記録デバイスをトリガするように構成されている回路機構と、を含む、情報キャプチャシステム。
【請求項１２】
前記センサが、銃器ホルスタからの前記銃器の引き抜きを検出するように構成されている、銃器ホルスタセンサを含む、請求項１１に記載の情報キャプチャシステム。
【請求項１３】
法執行官による催涙スプレー缶、手錠、胴体防護具、及び防弾−チョッキからなるリストから選択された１つ以上のデバイスの潜在的な使用の検出に応答して、少なくとも１つの他の検出信号を生成するように構成されている、少なくとも１つの他のセンサを更に含み、前記回路機構が、前記少なくとも１つの他の検出信号に応答して、前記ビデオ記録デバイスをトリガするように更に構成されている、請求項１２に記載の情報キャプチャシステム。
【請求項１４】
前記回路機構が、前記銃器、前記催涙スプレー缶、前記手錠、前記胴体防護具、前記防弾チョッキ用の前記センサのうちのどのセンサが、前記回路機構による前記ビデオ記録デバイスのトリガにつながる前記潜在的な使用を検出したかを示すように更に構成されている、請求項１３に記載の情報キャプチャシステム。
【請求項１５】
前記センサが、前記銃器の安全機構がオフの位置に切り換わることに応答して、前記検出信号を生成するように構成されている、銃器安全センサを含む、請求項１１に記載の情報キャプチャシステム。
【請求項１６】
前記ビデオ記録デバイスが、
前記データ記憶域デバイスに格納された既定の長さの時間に対応する前記ビデオ画像のごく最近の部分のみを格納すると同時に、前記回路機構が前記検出信号に応答して前記ビデオ記録デバイスをトリガする前の、前記ごく最近の部分以外のビデオ画像を削除することと、
前記回路機構が前記ビデオ記録デバイスをトリガすることに応答して、前記ごく最近の部分以外の前記ビデオ画像の削除を停止することと、を行うように構成されている、請求項１１に記載の情報キャプチャシステム。
【請求項１７】
前記既定の長さの時間が約３０秒である、請求項１６に記載の情報キャプチャシステム。
【請求項１８】
情報キャプチャの方法であって、
将来的なイベントに関与するように構成されている物体に固定されたセンサからのセンサデータを分析することと、
前記将来的なイベントの情報を記録するように構成されている記録デバイスを用いて、トリガ前の情報を事前記録することと、
現時点よりも前の既定量の時間に記録されたトリガ前の情報の一部を削除することと、
トリガイベントが発生したことを前記センサデータから判別することに応答して、前記記録デバイスをトリガして前記トリガ前の情報の前記部分の削除を停止することと、
前記トリガイベントが発生したことの判別に次いで、前記記録デバイスを用いてトリガ後の情報を記録することと、を含む、方法。
【請求項１９】
トリガ前の情報を事前記録することが、既定量の前記トリガ前のセンサ情報を維持することを含む、請求項１８に記載の方法。
【請求項２０】
前記記録デバイスに記録を停止するように命令する、センサ信号又は別の記録デバイスからの信号のうちの少なくとも１つに応答して、前記記録デバイスに前記トリガ後の情報を記録することを停止させることを更に含む、請求項１８に記載の方法。
【請求項２１】
トリガ後の情報を記録することが、前記トリガ前の情報のトリガ前のビデオデータよりも高い解像度でビデオデータを記録することを含む、請求項１８に記載の方法。
【発明の詳細な説明】
【関連出願】
【０００１】
本出願は、米国特許法第１１９条（ｅ）に基づき、２０１５年１１月１０日に出願された米国仮特許出願第６２／２５３，５９６号の利益を主張し、そのすべての開示は、この参照により本明細書に組み込まれる。
【技術分野】
【０００２】
本開示は、概ね、情報キャプチャのためのシステム及び方法、より具体的にはセンサによってトリガされる画像データキャプチャに関する。
【図面の簡単な説明】
【０００３】
【図１】一実施形態による、情報キャプチャシステムの簡略ブロック図である。
【図２】図１の情報キャプチャシステムの記録デバイスの一例の簡略ブロック図である。
【図３】一実施形態による、情報キャプチャの方法例の簡略フローチャートである。
【図４Ａ】一実施形態による、情報キャプチャシステムの特定の非限定的な例を示す。
【図４Ｂ】一実施形態による、情報キャプチャシステムの特定の非限定的な例を示す。
【発明を実施するための形態】
【０００４】
以下の「発明を実施するための形態」では、本明細書の一部を形成し、本開示が実施され得る特定の実施形態を実例として表示する、添付図面を参照する。これらの実施形態は、当業者が本明細書で行われる開示を実施できるようにするために十分詳細に記載されている。しかしながら、「発明を実施するための形態」及び特定の実施例は、本開示の実施形態の例を示しているが、あくまでも実例として提供されており、限定するものではないことを理解すべきである。本開示から、本開示の範囲内で様々な置換、修正、付加、再配列、又はそれらの組み合わせが行われてもよく、それらは当業者に明らかになるであろう。
【０００５】
一般的な慣行に従い、図に示されている様々な特徴は、正確な縮尺率ではない場合がある。本明細書に示す図は、何らかの特定の装置（例えば、デバイス、システムなど）又は方法の実際の表示を意味するものではなく、単に、本開示の様々な実施形態を説明するために使用された理想的な表現である。したがって、様々な特徴の寸法は、明確にするために適宜拡張又は縮小されている場合がある。また、図の一部は、明確にするために簡略化されている場合がある。このように、図は、所定のデバイスの構成要素のすべて及び特定の方法の操作のすべては示していない場合がある。
【０００６】
本明細書に記載された情報及び信号は、各種異なるテクノロジー及び手法のいずれかを使用して表現され得る。例えば、説明全体を通して参照され得るデータ、命令、コマンド、情報、信号、ビット、記号、及びチップは、電圧、電流、電磁波、磁場若しくは磁性粒子、光学場若しくは光学粒子、又はそれらの組み合わせによって表現され得る。いくつかの図は、提示及び説明を明確にするため、信号を単一信号として示している場合がある。当業者は、信号が信号のバスを表現し得ることを理解すべきであり、バスは各種のビット幅を有し得、本開示は単一データ信号を含む任意の数のデータ信号で実装され得る。
【０００７】
本明細書で開示される実施形態に関連して記載される、様々な例示の論理ブロック、モジュール、回路、及びアルゴリズムの行為は、電子ハードウェア、コンピュータソフトウェア、又は両方の組み合わせとして実装され得る。このハードウェア及びソフトウェアの互換性を明確に図示するため、様々な例示の構成要素、ブロック、モジュール、回路、及び行為が、概ねそれらの機能性に関して記載されている。かかる機能性がハードウェア又はソフトウェアとして実装されるか否かは、システム全体に課された特定の用途及び設計上の制約に左右される。当事者は、記載の機能性をそれぞれの特定の用途に対して様々な方法で実装し得るが、かかる実装の決定は、本明細書に記載された開示の実施形態の範囲から逸脱させるものとして解釈されるべきではない。
【０００８】
また、実施形態は、フローチャート、フロー図、構造図、又はブロック図として示されるプロセスに関して記載され得るということが留意される。フローチャートは、操作上の行為を連続的なプロセスとして記載している場合があるが、これらの活動の多くは、別の順序で、平行して、又はほぼ同時に実行されてもよい。また、行為の順序は並べ替えられてもよい。プロセスは、方法、機能、手順、サブルーチン、サブプログラムなどに対応し得る。更に、本明細書に開示される方法は、ハードウェア、ソフトエア、又は両方に実装され得る。ソフトウェアに実装された場合、機能は、１つ以上のコンピュータ読み取り可能命令（例えば、ソフトウェアコード）としてコンピュータ読み取り可能媒体に格納又は送信され得る。コンピュータ読み取り可能媒体は、ある場所から別の場所へのコンピュータプログラムの転送を容易にする任意の媒体を含む、コンピュータ記憶媒体（すなわち、非一時的媒体）及び通信媒体の両方を含む。
【０００９】
本明細書に記載された要素は、同一要素の複数のインスタンスを含み得る。これらの要素は、概ね、数字表示部（例えば、２００）によって示され、具体的には数字表示の後に英字表示部によって示され得る（例えば、２００Ａ）。説明を簡単にたどれるよう、ほとんどの部分について、要素の数字表示部は、要素が導入されている又は最も詳しく論じられている図の番号から始まる。このように、例えば、図１の要素識別子は大部分が数字形式１ｘｘとなり、図３の要素は大部分が数字形式３ｘｘとなる。
【００１０】
本明細書で使用するとき、用語「センサ付きの物体」は、物体に近接して発生するイベントを検出できるセンサを含む、任意の物体を指す。
【００１１】
本明細書で使用するとき、用語「記録デバイス」は、物体に近接して発生するイベントに対応する情報を記録できるデバイスを指す。例えば、記録デバイスとしては、画像をキャプチャできる画像キャプチャデバイスが挙げられ得る。本明細書で使用するとき、用語「画像キャプチャデバイス」は、例えば、デジタルカメラ、デジタルビデオカメラ、アナログカメラ、アナログビデオカメラ、ウェブカメラ、当該技術分野において既知の他の画像キャプチャデバイス、及びそれらの組み合わせなどの、デジタル及びアナログ画像キャプチャデバイスを指す。本明細書で使用するとき、用語「画像」は、静止画像及びビデオ画像の両方を指す。本明細書で使用するとき、用語「静止画像」は、単一フレームを有する画像を指す。また、本明細書で使用するとき、用語「ビデオ画像」は、複数フレームを有する画像を指す。更に、本明細書で使用するとき、用語「画像データ」及び「ビデオデータ」は、画像キャプチャデバイスによってキャプチャされた１つ以上の画像に対応するデータを指す。「画像データ」及び「ビデオデータ」は、コンピューティングデバイスなどのレンダリングデバイスが画像データに対応する１つ以上の画像を表示するために再構成（例えば、無損失の再構成及び有損失の再構成のいずれか）するのに十分な情報を含む。「画像データ」は、アナログデータ又はデジタルデータであってよい。「画像データ」及び「ビデオデータ」は、非圧縮画像データ若しくはビデオデータ、又は圧縮されている（例えば、各種の画像圧縮プロトコルのいずれかを使用）画像データ若しくはビデオデータを指し得る。「画像データ」は、ビデオ画像データ及び静止画像データの両方を指し得る。「ビデオ画像データ」は、連続して表示されるように構成された一連の静止画像に対応するデータを指す。
【００１２】
本明細書で使用するとき、用語「物体に近接して」は、物体のセンサをトリガするほど物体に近い場所を指す。多くの場合、センサをトリガするほど物体に近いイベントはまた、記録デバイスが、センサをトリガするイベントに対応する情報を記録できるようにするほど、記録デバイスの近くであり得る。
【００１３】
本開示の実施形態は、センサへの刺激を介して自動的にトリガされる様々な情報キャプチャシステムと、関連方法とを含む。
【００１４】
図１は、情報キャプチャシステム１００の簡略ブロック図である。情報キャプチャシステム１００は、起こり得るイベント（例えば、将来的なイベント、まもなく起こるイベント、及び／又は予想されるイベント）に関与するように構成されている物体と、その物体に固定された１つ以上のセンサ１１２（以降「センサ」１１２）と、を含む、センサ付きの物体１１０を含んでもよい。センサ１１２は、起こり得るイベントに関連付けられた１つ以上の刺激を検出し、１つ以上の刺激に対応するデータを示す（例えば、センサ１１２に操作可能に連結された１つ以上の通信素子１１４を使用して）センサ信号１７２を送信するように構成され得る。情報キャプチャシステム１００はまた、センサ信号１７２によって示されたデータから判別されるトリガイベントに応答して、情報（例えば、静止画像、ビデオ画像、音声、熱測定値、及びそれらの組み合わせ）を記録するように構成されている、１つ以上の記録デバイス２００（以降「記録デバイス」２００）を含んでもよい。このように、記録デバイス２００は、トリガイベントが発生したことの判別に応答して、起こり得るイベントに関する情報を記録し得る。
【００１５】
いくつかの実施形態では、センサ付きの物体１１０としてはスポーツ備品が挙げられ得、記録デバイス２００は、スポーツ備品を伴う活動に応答して情報（例えば、ビデオ）を記録するように構成され得る。非限定的な例として、センサ付きの物体１１０としては、サーフボード、スケートボード、スノーボード、ウェイクボード、スキー、自転車、オートバイ、カヤック、スタンドアップパドルボード、カヌー、全地形対応車（ＡＴＶ）、自動車、ランプ、ボール、野球用バット、ゴルフ用クラブ、ホッケー用スティック、ゴール（例えば、バスケットボールリム、ホッケー又はサッカーゴールなど）、及び他のスポーツ備品が挙げられ得る。特定の非限定的な例として、センサ付きの物体１１０としては、サーフボードが挙げられ得、記録デバイス２００は、ユーザがサーフボードの上に立ったことを感知する、サーフボードに固定されたセンサ１１２に応答してビデオを記録するように構成され得る。当然のことながら、それぞれのタイプのスポーツ備品は、記録デバイス２００を用いて記録する対象のイベントに対応し得る、異なる検出可能な刺激に関連付けられてよい。
【００１６】
いくつかの実施形態では、センサ付きの物体１１０としては、ウェアラブルデバイスが挙げられ得る。非限定的な例として、センサ付きの物体１１０には、銃のホルスタ、心拍計、グローブ、衣類、帽子、ヘルメット、腕時計、ブレスレット、アームバンド、レッグバンド、ヘッドバンド、靴、及び他のウェアラブルデバイスが挙げられ得る。特定の非限定的な例として、センサ付きの物体１１０としては、銃のホルスタが挙げられ得、記録デバイス２００としては、法執行車両内のダッシュボードのビデオカメラ、又は銃のホルスタを装着した法執行官が装着するボディカメラが挙げられ得る。ダッシュボードのビデオカメラは、法執行官がホルスタから拳銃を引き抜くことに応答して、ビデオを記録し得る。同様に、ボディカメラは、法執行官がホルスタから拳銃を引き抜くことに応答して、ビデオの記録を開始し得る。当然のことながら、多くの異なる適用例は、異なるウェアラブルデバイスのそれぞれに対応し得、各種の異なる刺激に関連付けられ得る。
【００１７】
センサ付きの物体１１０の他の例としては、ステッキ、鏡、窓、ドア、及び対応する情報を記録する対象の起こり得るイベントに対応する刺激を受信し得る、任意の他の物体が挙げられ得る。
【００１８】
いくつかの実施形態では、センサ１１２として、生体認証センサが挙げられ得る。非限定的な例として、センサ１１２としては、加速度計、心拍センサ、体温センサ、歩数計、他の生物計測センサ、及びそれらの組み合わせが挙げられ得る。かかる実施形態では、個人の生体応答をトリガするイベントに対応する情報は、特定の生体トリガ（例えば、既定のレベルを超える心拍数、既定の閾値を超える加速力、特定のタイプの活動に対応する加速度計の測定値など）に応答して記録され得る。
【００１９】
いくつかの実施形態では、センサ１１２としては、他の加速度計（例えば、非生体計測）、圧力センサ、静電容量式タッチセンサ、熱センサ、温度センサ、ジャイロスコープ、動作センサ、赤外線センサ、光センサ、音響センサ、水分センサ、ひずみゲージ、画像センサ、近接センサ、環境光センサ、コネクタが接続及び接続解除されたときに感知するコネクタ、全地球測位システム（ＧＰＳ）センサ、他のセンタ、及びそれらの組み合わせが挙げられ得る。したがって、様々なタイプの刺激が、記録デバイス２００をトリガして情報を記録し得る。いくつかの実施形態では、複数のセンサ１１２が含まれてもよい。
【００２０】
いくつかの実施形態では、センサ１１２は、センサ信号１７２を無線で送信するように構成されてもよい。かかる実施形態では、通信素子１１４としては、少なくとも無線通信デバイスが挙げられ得る。非限定的な例として、無線通信デバイスは、Ｂｌｕｅｔｏｏｔｈ、低電力Ｂｌｕｅｔｏｏｔｈ、ＷｉＦｉ、Ｚｉｇｂｅｅ、移動無線ネットワーク（例えば、ロングタームエボリューション（ＬＴＥ）、３Ｇなど）、他の無線通信プロトコル、又はそれらの組み合わせを使用して通信するように構成されてもよい。いくつかの実施形態では、通信素子１１４は、センサ１１２が有線通信リンク（例えば、ユニバーサルシリアルバス（ＵＳＢ）、Ｆｉｒｅｗｉｒｅ（ＩＥＥＥ  １３９４）、Ｅｔｈｅｒｎｅｔ（ＩＥＥＥ  ８０２．３）、他の有線通信リンク、又はそれらの組み合わせ）を使用して通信することを可能にするように構成されてもよい。いくつかの実施形態では、センサ１１２は、センサ信号１７２を安全に送信するように構成されてもよい。いくつかの実施形態では、通信素子１１４としては、全地球測位システム（ＧＰＳ）デバイス（既定の位置に、又は既定の位置の既定の範囲内に位置付けられている記録デバイス２００に応答して、記録デバイス２００をトリガさせるために使用され得る）が挙げられ得る。
【００２１】
いくつかの実施形態では、記録デバイス２００としては、トリガイベントに応答して１つ以上の画像をキャプチャするように構成された画像キャプチャデバイス（例えば、車両のダッシュボード、人、自転車などに固定されている）が挙げられ得る。非限定的な例として、画像キャプチャデバイスとしては、センサ信号１７２によって示されるデータから判別されるトリガイベントに応答して、ビデオを記録するように構成されている、ビデオ画像キャプチャデバイス２００Ａ（図２）が挙げられ得る。いくつかの実施形態では、記録デバイス２００は、画像キャプチャデバイスに加えて又はそれに代わって、音声記録デバイスを含んでもよい。いくつかの実施形態では、記録デバイス２００は、複数の記録デバイスを含んでもよい。複数の記録デバイス２００を含むいくつかの実施形態では、記録を開始するためにトリガされる記録デバイス２００のいずれか１つは、記録デバイス２００のうちの他の記録デバイス２００に、記録を開始するように命令を送信し得る（例えば、無線で、有線通信経由で、など）。いくつかの実施形態では、記録デバイス２００は、センサ１１２によって検出されたトリガイベントに応答する記録に加え、情報キャプチャシステムのユーザが記録デバイスを手動で起動することに応答して、記録を開始するように構成されてもよい。
【００２２】
いくつかの実施形態では、センサ１１２として、地理的位置情報センサが挙げられ得る。非限定的な例として、センサ１１２は、センサ１１２の近傍（例えば、既定の範囲）に入る又はそこから離れるユーザ若しくは物体に応答してトリガするように構成されてもよい。また、非限定的な例として、通信素子は、対象の領域内に入ったときは常に、記録デバイス２００の地理的位置情報をもとにした起動及び／又は閾値による起動を可能にするため、既定の範囲内の検出信号を連続的又は間欠的に送信するように設計された、所望の場所に定置されてもよい。記録デバイス２００は、対象の領域をカバーする地理位置情報をもとにした送信機の範囲から出たときに、記録を停止するように構成されてもよい。特定の非限定的な例として、地理的位置情報をもとにしたトリガは、スキーのジャンプ台に定置されてもよく、カメラはスキーヤがジャンプ台に近づくと記録を開始し、スキーヤがジャンプ台を離れると記録を停止する。また、非限定的な例として、人若しくは物体がある場所（例えば、特定のグローバルポジション又は複数のグローバルポジション）若しくはそれらの近傍に到着する又はそこから離れることに応答して、記録デバイス２００がトリガされるように、ＧＰＳを使用することができる。例えば、記録デバイス２００は、ＧＰＳ及びユーザ既定の場所によって判別される、その実際のグローバルポジションによって起動され得る。
【００２３】
いくつかの実施形態では、記録デバイス２００（又は複数の記録デバイス２００）は、センサ１１２により検出されたトリガイベントに応答して、手動ユーザ入力に応答して、又はそれらの組み合わせで記録を停止するように構成されてもよい。複数の記録デバイス２００が存在するいくつかの実施形態では、記録を停止するように制御された記録デバイス２００のいずれか１つはまた、複数の記録デバイス２００のうちの他の記録デバイス２００と通信し（例えば、無線で、有線通信経由で、など）、複数の記録デバイス２００のうちの他の記録デバイス２００が記録を停止すべきであることを示し得る。
【００２４】
特定の非限定的な例として、記録デバイス２００としては、トリガイベントを検出する前であってもビデオデータの最近のセグメントを絶えず記録し格納するように構成された、ビデオ画像キャプチャデバイス２００Ａ（例えば、図２を参照のこと）が挙げられ得る。ビデオ画像キャプチャデバイス２００Ａはまた、現時点よりも前の少なくとも既定のバッファ期間（例えば、現時点の１、２、５、１０秒前など）に記録されたビデオデータの部分を削除するように構成されてもよい。ビデオ画像キャプチャデバイス２００Ａは、トリガイベントに応答して、現時点よりも前の既定のバッファ期間に記録されたビデオデータの削除を停止するように更に構成されてもよい。このようにして、ビデオ画像キャプチャデバイス２００Ａは、相対的に大量のビデオデータを蓄積することなく、トリガイベントに至るイベントに対応するビデオデータを記録でき得る。付加的な格納空間を解放し得る１つのやり方として、トリガイベントの後に記録されるビデオとは異なる（例えば、より低い）解像度でトリガイベントよりも前のビデオを記録する。以下に、図２を参照しながら、ビデオ画像キャプチャデバイス２００Ａの一例に関してより詳細に論じる。
【００２５】
別の特定の非限定的な例としては、記録デバイス２００は、継続的にオンのままとなる低電力通信素子（例えば、低電力Ｂｌｕｅｔｏｏｔｈデバイス）が装備されてもよい。低電力通信素子は、センサ信号１７２及び／又はトリガ信号１７４を受信することができ、電源を投入して記録を始めるように記録デバイス２００に命令を提供し得る。したがって、センサ信号１７２及び／又はトリガ信号１７４は、記録デバイス２００を効果的に起動し得る。
【００２６】
相対的により一般化された非限定的な例として、記録デバイス２００は、情報を絶えず記録及び格納し、現時点よりも前の既定のバッファ期間に記録された情報を削除するように構成されてもよい。トリガイベントがセンサ信号１７２に示されたデータから検出されたとき、記録デバイス２００は、現時点よりも前の既定のバッファ期間に記録された情報の削除を停止するように構成されてもよい。いくつかの実施形態では、記録デバイス２００は、記録を停止するためにトリガされた後の既定量の時間に記録を停止するように構成されてもよい。
【００２７】
いくつかの実施形態では、記録デバイス２００としては、ウェアラブルな記録デバイスが挙げられ得る。非限定的な例として、記録デバイス２００としては、法執行用のボディカメラ、ヘルメットカメラ、眼鏡に搭載されたカメラ、腕時計に搭載されたカメラ、他のウェアラブルな記録デバイス、又はそれらの組み合わせが挙げられ得る。
【００２８】
いくつかの実施形態では、情報キャプチャシステム１００は、センサ１１２及び記録デバイス２００と電気通信する（例えば、１つ以上の通信素子１５２を使用）１つ以上の通信ハブ１５０（本明細書では単に「ハブ」１５０として称されることもある）を含んでもよい。ハブ１５０は、センサ１１２からセンサ信号１７２を受信し、センサ信号１７２からのトリガイベントの検出に応答して記録デバイスにトリガ信号１７４を送信するように構成されてもよい。
【００２９】
いくつかの実施形態では、ハブ１５０としては、パーソナルコンピューティングデバイス（例えば、スマートフォン、タブレットコンピュータ、ラップトップコンピュータ、デスクトップコンピュータ、パーソナルデジタルアシスタント（ＰＤＡ）、他のパーソナルコンピューティングデバイス、又はそれらの組み合わせ）が挙げられ得る。かかる実施形態では、ハブ１５０は、広域ネットワーク（ＷＡＮ）（例えば、インターネット）からの介入がある又は介入がない環境で、パーソナルエリアネットワーク（ＰＡＮ）、ローカルエリアネットワーク（ＬＡＮ）、又はそれらの組み合わせのうちの少なくとも１つを介して、センサ１１２及び記録デバイス２００のうちの少なくとも１つと通信するように構成されてもよい。いくつかの実施形態では、ハブ１５０としては、少なくともＷＡＮを介してセンサ１１２及び記録デバイス２００のうちの少なくとも１つとの電気通信にかかわるように構成された、１つ以上のクラウドサーバデバイスが挙げられ得る。
【００３０】
いくつかの実施形態では、ハブ１５０は、センサ１１２及び記録デバイス１２０のうちの少なくとも１つにステータス要求１６０を送信し、センサ１１２及び記録デバイス１２０のうちの少なくとも１つからステータス情報（例えば、センサステータス１８０、レコーディングデバイス（Ｒ．Ｄ．）ステータス１７８、又はそれらの組み合わせ）を受信するように構成されてもよい。非限定的な例として、ハブ１５０は、センサ１１２及び記録デバイス２００のうちの少なくとも１つに、バッテリレベル、状態パラメータ、他の情報、及びそれらの組み合わせを示す情報を要求するステータス要求１６０を送信してもよい。ハブ１５０は、その応答として、センサステータス１８０及びＲ．Ｄ．ステータス１７８のうちの少なくとも１つをそれぞれセンサ１１２及び記録デバイス２００から受信し得る。
【００３１】
ハブ１５０は、１つ以上の記憶域デバイス１５６（以降「記憶域」１５６）に操作可能に連結された１つ以上の処理素子１５４（例えば、中央演算処理デバイス（ＣＰＵ）、マイクロコントローラ、プログラマブルロジックコントローラ（ＰＬＣ）、他の処理素子、又はそれらの組み合わせ）を含んでもよい。記憶域１５６としては、揮発性データ記憶域（例えば、ランダムアクセスメモリ）、不揮発性データ記憶域（例えば、読み取り専用メモリ、フラッシュメモリ、電気的プログラマブル読取り専用メモリ（ＥＰＲＯＭ）、コンパクトディスク（ＣＤ）、デジタルバーサタイルディスク（ＤＶＤ）など）、他のデータ記憶域デバイス、又はそれらの組み合わせが挙げられ得る。記憶域１５６は、１つ以上の半導体デバイス、光学的記憶媒体、磁気テープ、他のデータ記憶域媒体、かかるデータ記憶域デバイスに対してデータの読み取り／書き込みを行うように構成されたデバイス、及びそれらの組み合わせと共に実装されてもよい。
【００３２】
記憶域１５６は、ハブ１５０が実行するように構成されている操作を実行するよう、処理素子１５４に命令するように構成されているコンピュータ読み取り可能命令を含んでもよい。非限定的な例として、コンピュータ読み取り可能命令は、センサ信号１７２によって指示されたデータを分析するよう、処理要素１５４に命令するように構成されてもよい。コンピュータ読み取り可能命令はまた、トリガイベントがセンサ信号１７２に対して発生したことを判別するよう、処理要素１５４に命令するように構成されてもよい。トリガイベントの例としては、認識可能なパターン又は出力、他のイベント、及びそれらの組み合わせを実証する、既定の閾値を超えたセンサ測定値が挙げられ得る。
【００３３】
操作中、センサ１１２は、センサ付きの物体１１０に近接して発生しているイベントの情報を検出し得る。センサ１１２は、記録デバイス２００及びハブ１５０のうちの少なくとも１つに、通信素子１１４を介してイベントの情報を含むセンサ信号１７２を送信し得る。センサ信号１７２からの情報は、トリガイベントが発生したかどうかを判別するため、記録デバイス２００及びハブ１５０のうちの１つによって処理され得る。トリガイベントが発生すると、記録デバイス２００は、物体に近接して発生したイベントに対応する情報を記録し得る。記録デバイス２００は、記録デバイス２００への手動入力に応答して、検出された別のイベントに応答して、センサ１１２及びハブ１５０のうちの１つから受信したコマンドに応答して、又はそれらの組み合わせで、トリガイベント後の既定量の時間の情報の記録を停止し得る。
【００３４】
このようにして、情報（例えば、ビデオデータ）は、手動入力又はタイマによって記録を開始することを必要とせずに、センサ１１２による検出可能なイベントに応答して記録され得る。例えば、銃のホルスタは、センサ１１２を含んでもよく、記録デバイス２００としては、銃が銃のホルスタから引き抜かれることに応答してビデオを記録する、法執行官用−車両内のダッシュボードのビデオ記録デバイスが挙げられ得る。したがって、銃のホルスタから銃が引き抜かれたことに次ぐ（更にはそのことに至った）イベントの潜在的に法的に関連するビデオ映像は、ビデオ映像を絶えず蓄積したり、重大局面又は緊急事態に手動で記録を始める時間を掛けたりすることを必要とせずに、ダッシュボードのビデオ記録デバイスによってキャプチャされ得る。
【００３５】
いくつかの実施形態では、センサ信号１７２は、記録デバイス２００がセンサ信号１７２を（例えば、センサ１１２から直接、又はハブ１５０を介して）受信することに応答して記録を始めるように、それ自体がトリガ信号であってもよい。かかる実施形態では、センサ信号１７２は、必ずしも記録デバイス２００又はハブ１５０によって処理されなくてもよい。
【００３６】
いくつかの実施形態では、センサ付きの物体１１０もハブ１５０と同様に、処理回路機構を含んでもよい。かかる実施形態では、センサ信号１７２の処理は、記録デバイス２００若しくはハブ１５０の代わりに又はそれに加えて、センサ付き物体で行われ得る。
【００３７】
いくつかの実施形態では、記録デバイス２００はまた、手動入力に応答して情報を記録するように構成されてもよい。したがって、ユーザは、センサ信号１７２によって示されたデータからトリガイベントが自動的に検出されない場合でも、記録を始めることができる。
【００３８】
図２は、図１の情報キャプチャシステム１００の記録デバイス２００Ａの一例の簡略ブロック図である。記録デバイス２００Ａは、１つ以上の通信素子２１０に操作可能に連結された１つ以上の処理素子２３０（以降「処理素子」２３０）と、１つ以上のデータ記憶域デバイス２４０（以降「記憶域」２４０）と、少なくとも１つのカメラ２２０（例えば、ビデオカメラ）と、を含み得る。処理素子２３０としては、図１の通信ハブ１５０の処理素子１５４を参照して上述されたものと同様の処理素子が挙げられ得る。処理素子２３０としてはまた、画像キャプチャ、画像データ記憶域、及びセンサデータ解析に関する特殊化した機能を実行するように構成されているハードウェア素子（例えば、特定用途向け集積回路、フィールドプログラマブルゲートアレイなど）が挙げられ得る。
【００３９】
記憶域２４０は、カメラ２２０によってキャプチャされたビデオデータ２１２を格納するように構成されたビデオデータベース２４２を含んでもよい。記憶域２４０はまた、そこに格納されたコンピュータ−読み取り可能命令２４４を含んでもよい。コンピュータ読み取り可能命令２４４は、記録デバイス２００Ａの機能を実行するよう、処理素子に命令するように構成され得る。非限定的な例として、コンピュータ読み取り可能命令２４４は、制御信号２３２をカメラに送信することによって、カメラ２２０を制御する（例えば、起動、動作停止、焦点合わせ、視角の調節など）よう、処理素子に命令するように構成されてもよい。また、非限定的な例として、コンピュータ読み取り可能命令２４４は、センサ１１２（図１）及びハブ１５０（図１）のうちの少なくとも１つと通信素子２１０を介して通信するよう、処理素子に命令するように構成されてもよい。非限定的な例として、コンピュータ読み取り可能命令２４４は、ハブ１５０からのステータス要求１７６に応答するよう、処理素子２３０に命令するように構成されてもよい。
【００４０】
通信素子２１０は、センサ付きの物体１１０の通信素子１１４及び／又は図１の通信ハブ１５０の通信素子１５２（例えば、無線通信機器、有線通信機器、又はそれらの組み合わせを含む）と同様であり得る。したがって、記録デバイス２００Ａは、センサ付きの物体１１０（図１）及びハブ１５０（図１）のうちの少なくとも１つと、無線で並びに／又は有線電気接続を介して通信するように構成され得る。具体的には、処理素子２３０は、通信素子２１０を介してセンサ信号１７２、トリガ信号１７４、及びステータス要求１７６のうちの少なくとも１つを受信するように構成されてもよい。処理素子２３０はまた、通信素子２１０を介して記録デバイスステータス信号１７８（本明細書では単に「Ｒ．Ｄ．ステータス１７８」と称されることもある）を送信するように構成されてもよい。
【００４１】
操作中、処理素子２３０は、通信素子２１０を介してトリガ信号１７４及びセンサ信号１７２のうちのいずれかを受信し得る。トリガ信号１７４が受信された場合、処理素子２３０は、制御信号２３２をカメラ２２０に送信して、ビデオデータ２１２をキャプチャする（又は、バッファビデオがキャプチャされている場合に、ビデオデータベース２４２に格納されたトリガ前のバッファビデオデータの削除を停止する）よう、カメラ２２０に命令し得る。センサ信号１７２が受信された場合、いくつかの実施形態では、処理素子２３０は、トリガイベントが発生したかどうかを判別するためにセンサ信号１７２を処理し得る。トリガイベントが発生した場合、処理素子２３０は、ビデオデータ２１２をキャプチャする（又は、トリガ前のバッファビデオデータの削除を停止する）よう、カメラ２２０に命令し得る。処理素子２３０は、カメラ２２０によってキャプチャされたビデオデータ２１２を記憶域２４０のビデオデータベース２４２に格納し得る。処理素子は、記録を停止するための判別がなされるまで（例えば、センサへの応答、トリガイベントからの既定時間の満了など）、ビデオデータ２１２をビデオデータベースに格納し続けてもよい。
【００４２】
いくつかの実施形態では、処理素子２３０は、（例えば、電子ディスプレイ又は他の電子デバイスに）ビデオデータベース２４２に格納されたビデオデータ２１２のビデオストリームを（通信素子２１０を介して）提供するように構成されてもよい。ビデオストリームとしては、実時間ビデオストリーム又は遅延ビデオストリームが挙げられ得る。いくつかの実施形態では、処理素子２３０は、記録デバイス２００Ａから離れたクラウドストレージサーバ（図示せず）を用いて、ビデオデータベース２４２に格納されたビデオデータ２１２（又はその圧縮バージョン）を共有するように構成されてもよい。
【００４３】
図３は、一実施形態による、情報キャプチャの方法例３００の簡略フローチャートである。この方法は、図１の情報キャプチャシステム１００などの情報キャプチャシステムによって実行され得る。操作３１０において、方法３００は、起こり得るイベントに関与するように構成された物体１１０に固定された、センサ１１２（図１）からのセンサデータを分析することを含み得る。いくつかの実施形態では、センサデータを分析することは、トリガイベントが発生したかどうかを判別することを含み得る。いくつかの実施形態では、トリガイベントが発生したかどうかを判別することは、センサデータを既定の閾値と、既定のパターンと、及びそれらの組み合わせと比較することを含み得る。
【００４４】
操作３２０において、方法３００は、起こり得るイベントの情報を記録するように構成されている記録デバイス２００（図１及び図２）を用いて、トリガ前の情報を事前記録することを含み得る。いくつかの実施形態では、トリガ前の情報を事前記録することは、トリガ前のセンサ情報（例えば、ビデオデータ）の既定量をデータベース（例えば、ビデオデータベース）に維持することを含み得る。操作３３０において、この方法は、現時点よりも前の既定量の時間に記録されたトリガ前の情報の一部を削除することを含み得る。
【００４５】
操作３４０において、方法３００は、トリガイベントが発生したことをセンサデータから判別することに応答して、記録デバイス２００（図１及び図２）をトリガし、トリガ前の情報の部分の削除を停止することを含み得る。いくつかの実施形態では、発生したトリガイベントを判別することは、センサ１１２（図１）、記録デバイス２００（図１及び図２）、及びハブ１５０（図１）のうちの少なくとも１つを用いて、発生したトリガイベントを判別することを含む。いくつかの実施形態では、記録デバイスをトリガしてトリガ前の情報の部分の削除を停止することは、トリガ信号１７４及びセンサ信号１７２（図１）のうちの１つを記録デバイス２００に送信することを含む。
【００４６】
操作３５０において、方法３００は、トリガイベントが発生したことの判別に次いで、記録デバイス２００（図１及び図２）を用いてトリガ後の情報を記録することを含み得る。いくつかの実施形態では、トリガ後の情報を記録することは、トリガ前のビデオデータとは異なる解像度でビデオデータ２１２を記録することを含み得る。いくつかの実施形態では、トリガ後の情報を記録することは、トリガ前のビデオデータよりも高い解像度でビデオデータ２１２を記録することを含み得る。
【００４７】
操作３６０において、いくつかの実施形態では、方法３００は、センサ１１２によって検出されたトリガイベントに応答して記録を停止することを含み得る。
【００４８】
図４Ａ及び図４Ｂは、いくつかの実施形態による、情報キャプチャシステム１００Ａの特定の非限定例を示す。
【００４９】
図４Ａは、法執行官４００（例えば、警察官、特別捜査官、陸軍将校など）が備えた情報キャプチャシステム１００Ａの一部の簡略図である。図４Ａに示されたシステム１００Ａの部分は、法執行官４００が装着したボディカメラデバイス２００Ｂと、法執行官４００の行動に関連して使用され得る様々な物体１１０Ａ、１１０Ｂ、１１０Ｃ、１１０Ｄ、１１０Ｅ、１１０Ｆ、及び１１０Ｇ（銃器１１０Ａ、銃器ホルスタ１１０Ｂ、テーザー銃１１０Ｃ、テーザー銃ホルスタ１１０Ｄ、催涙スプレー缶１１０Ｅ、催涙スプレーホルスタ１１０Ｆ、及び手錠１１０Ｇ）と、を含む。図４Ａは、法執行官４００にベルト４６０で固定された銃器１１０Ａ、銃器ホルスタ１１０Ｂ、テーザー銃１１０Ｃ、テーザー銃ホルスタ１１０Ｄ、催涙スプレー缶１１０Ｅ、催涙スプレーホルスタ１１０Ｆ、及び手錠１１０Ｇを示す。図４Ａのシステム１００Ａの部分はまた、スマートウォッチ１１２Ｊ及びウェアラブルパッチ１１２Ｋを含む。
【００５０】
図４Ｂは、情報キャプチャシステム１００Ａの簡略ブロック図である。図４Ａには示されていないが、情報キャプチャシステム１００Ａは、ボディカメラデバイス２００Ｂの代わりに又はそれに加えてダッシュボードのカメラデバイス２００Ｃを含んでもよい。他の記録デバイスも含まれてもよい。ボディカメラデバイス２００Ｂ、ダッシュボードのカメラデバイス２００Ｃ、及び任意の他のカメラデバイスは、図２の記録デバイス２００Ａと同様であってもよい。また、図４Ａには示されていないが、情報キャプチャシステム１００Ａは、コンピュータ４０２（例えば、緊急車両で使用するためのもの、コンピュータ支援出動システム、記録管理システムといったプログラムを使用するもの、など）と、地理的−位置情報センサ１１２Ｌと、を含んでもよい。更に、図４Ａには示されていないが、情報キャプチャシステム１００Ａは、図４Ａに示された物体１１０Ａ〜Ｇに加えて、緊急車両の回転灯１１０Ｈを含んでもよい。物体１１０Ａ〜Ｈは、物体１１０Ａ〜１１０Ｈの使用を伴う法執行官４００の潜在的行動を検出するように構成された、センサ１１２Ａ〜Ｈをそれぞれ含み得る。
【００５１】
非限定的な例として、銃器１１０Ａのセンサ１１２Ａは、法執行官４００が銃器１１０Ａを使用する準備中であることを検出するように構成されてもよい（例えば、センサ１１２Ａは、ホルスタからの銃器１１０Ａの引き抜き、安全機構の「オン」の位置から「オフ」の位置への切り換え、及び／又は銃器１１０Ａの発砲を検出するように構成されてもよい）。また、非−限定的な例として、銃器ホルスタ１１０Ｂのセンサ１１２Ｂは、法執行官４００が銃器１１０Ａを使用する準備中であることを検出するように構成されてもよい（例えば、センサ１１２Ｂは、銃器ホルスタ１１０Ｂから銃器１１０Ａが引き抜かれたときを検出するように構成されてもよい）。特定の非限定的な例として、銃器ホルスタ１１０Ｂのセンサ１１２Ｂは、銃器ホルスタ１１０Ｂから銃器１１０Ａが引き抜かれたことを検出する、機械式ボタン（通常開いている、通常閉じているなど、銃器１１０Ａが取り外されたときに押下が解除されるボタン）又は銃器ホルスタ１１０Ｂの底部にある屈曲センサ（すなわち、屈曲センサの屈曲に応答する抵抗又は電気容量などの電気特性を変更するセンサ）を含んでもよい。他の特定の非限定的な例として、センサ１１２Ｂは、ホルスタ１１０Ｂの側面（例えば、ホルスタ１１０Ｂの内側）、ホルスタ１１０Ｂの上部付近、又はホルスタ１１０Ｂ内部若しくはホルスタ１１０Ｂなしのいずれの場所に取り付けられてもよい。いくつかの実施形態では、複数のセンサ１１２Ｂ（例えば、同タイプ、異なるタイプ、など）は、銃器１１０Ａの引き抜きが適切に検出されることを保証するため、ホルスタ１１０Ｂの面上又はその中で使用され得る。更なる非限定的な例として、センサ１１２Ｂ又は複数のセンサ１１２Ｂは、セルフロックシステム又はサムブレイクスナップなど、望ましくない銃器の引き抜きを防止する、ホルスタ安全システムの動きを検出するように構成されてもよい。
【００５２】
多くの異なるタイプのホルスタが多くの異なるタイプの銃器用に存在し得、センサ１１２Ｂ又は複数のセンサ１１２Ｂの構成及び位置決めは異なるタイプのホルスタ用に多様であり得る。したがって、法執行官が一般に使用するホルスタ及び銃器と互換性のあるセンサが使用され得る。あるいは、いくつかの実施形態では、ホルスタ自体がセンサを含んでもよい。
【００５３】
センサ１１２Ｂ又は複数のセンサ１１２Ｂは、耐久性を有するべきであるが、使い捨てできるほど安価であってもよい。これらのセンサは小型であるが、相対的に長い電池寿命（例えば、一度で数年）を有するべきである。ホルスタ１１０Ｂに組み込まれていない場合、センサ１１２Ｂは、ホルスタ１１０Ｂに容易に適用されるべきである。１つのアプローチとして、ホルスタ１１０Ｂの底部にあるガードにセンサ１１２Ｂを含める。ホルスタ１１０Ｂに付属のガード（例えば、プラスチックガード）は、センサ１１２Ｂを含むガードに置換されてもよい。ガードは、銃器１１０Ａの構造素子によって（例えば、バレルの下に取り付けられたライトによって）押され得る、センサ１１２Ｂの機械式ボタンを含んでもよい。ホルスタ１１０Ｂ内の定位置に銃器１１０Ａを保持する機械式ロックは、誤ったトリガを防止し得る。
【００５４】
別のアプローチとしては、ホルスタ１１０Ｂの外側にあるホルスタ１１０Ｂの上部リムに、センサ１１２Ｂをクリップ留めする。センサ１１２Ｂとしては、上部リムからホルスタ１１０Ｂの壁伝いに一定距離（例えば、数インチ）下へ伸びている、ホルスタ１１０Ｂ内の屈曲センサ又はばね鋼レバーが挙げられ得る。他のアプローチは、ホール効果センサ、リードスイッチ、近接センサ、静電容量式タッチセンサ、圧力センサ、他のセンサ、又はそれらの組み合わせの使用を伴い得る。
【００５５】
複数のセンサ１１２Ｂの組み合わせも、ホルスタ１１０Ｂ上又はその中で使用され得る。例えば、緩めのホルスタ１１０Ｂ（例えば、革製ホルスタ）の場合、圧力センサは、ホルスタ１１０Ｂの上部にあるばね鋼レバーボタンと組み合わせて、ホルスタ１１０Ｂ内の複数の場所に設置されてもよい。偽陽性を回避するため、カメラ２００Ｂ、２００Ｃは、すべての圧力センサが圧力を検出せず、ばね鋼レバーボタンが減圧されている場合のみトリガされ得る。したがって、銃器１１０Ａがホルスタ１１０Ｂ内をあちこちに移動した場合でも、カメラ２００Ｂ、２００Ｃは、複数のセンサ１１２Ｂのうちの１つでもトリガされなければ、トリガされない。
【００５６】
センサの組み合わせの別の例として、近距離近接センサは、銃器１１０Ａを固定する、ホルスタ１１０Ｂ上の安全機構に取り付けられた機械式スイッチ及び／又は屈曲センサと共に使用され得る。法執行官４００が安全機構を動かす又はラッチ解除すると、機械式スイッチ及び／又は屈曲センサは、近距離近接センサをトリガして電源投入する。近接センサは、銃が引き抜かれたときにのみカメラ２００Ｂ、２００Ｃが起動されることを保証するために使用され得るが、近接センサは、法執行官４００がホルスタ１１０Ｂ上の安全機構を外した後にのみ機能し得る。結果として、過誤を防止することができ、近接センサの電池電源を節約することができる。電源を更に節約するため、メッセージを送信するのに十分な起動信号が存在する限りは、近接センサからの信号が送信される頻度及び時間の長さを調節し得る。近接センサの送信範囲はまた、可能な限り多くの角度から慎重を要する局面を記録するため、近くにいる他の法執行官のカメラをオンにするように調節され得る。
【００５７】
法執行官４００による銃器１１０Ａの使用可能性を検出するセンサ１１２Ａ及び１１２Ｂと同様に、センサ１１２Ｃ〜１１２Ｈは、それに対応する物体１１０Ｃ〜１１０Ｈの使用可能性を検出するように構成され得る。
【００５８】
法執行官４００による物体１１０Ａ〜１１０Ｈの使用は、多くの場合、法執行官４００がとりわけ、戦闘に従事している、物理的力を発揮している、人に傷害を負わせている、人を拘束している、又は道の片側によって交通停止するように運転手に合図している場合がある、慎重を要する局面に付随し得る。これらの慎重を要する局面は時折エスカレートし、不運な状況を招き、一部の局面においては人の怪我又は死さえも招く。法執行官４００又は法執行官４００がかかわる相手の行動は、時折、何らかの不適切な措置をいずれかの関係者が行ったかどうかを判断するため、後に調査される場合がある。これらの調査を補助するため、物体１１０Ａ〜１１０Ｈを使用することは、ボディカメラデバイス２００Ｂ、ダッシュボードのカメラデバイス２００Ｃ、又はそれらの組み合わせをトリガして、ビデオ画像（例えば、ビデオ画像のみ、又はビデオ画像及び音声の組み合わせを含む）を記録することにつながり得る。記録されたビデオ画像は、後に、事件後の調査で詳しく調べされ得る。
【００５９】
情報キャプチャシステム１００Ａは、法執行官４００が物体１１０Ａ〜１１０Ｈのうちのいずれかを使用又は使用停止しようとし得る、センサ１１２Ａ〜Ｈによる検出に応答して、ボディカメラデバイス２００Ｂ及びダッシュボードのカメラデバイス２００Ｃ（及び任意の他のカメラデバイス）をトリガする（例えば、記録するため、記録を停止するため、トリガされる前の既定の閾値時間に取られた記録の削除を停止するため、など）ように構成された、回路機構４０２を含む。例えば、回路機構４０２は、ボディカメラ２００Ｂ及び／又はダッシュボードのカメラデバイス２００Ｃにトリガ信号１７４を提供するように構成されてもよい。いくつかの実施形態では、トリガ信号１７４は、ボディカメラデバイス２００Ｂ及びダッシュボードのカメラデバイス２００Ｃをトリガしてビデオ画像の記録を開始又は停止するように構成されてもよい。複数の異なるカメラデバイスが存在する実施形態では、カメラデバイスは、互いに通信すること（例えば、無線で、有線通信経由で、など）、及び複数のカメラデバイスのうちの１つしかトリガされない場合でも（トリガイベントによる、手動による、又はそれらの組み合わせによる、など）互いをトリガして記録を開始又は停止することが可能であり得る。特定の非限定的な例として、ダッシュボードのカメラデバイス２００Ｃは、銃器１１０Ａがホルスタ１１０Ｂから引き抜かれたときに、自動的に記録を開始する（及び／又はダッシュボードのカメラデバイス２００Ｃがトリガされる前の既定のバッファ期間から保存されたビデオを保持する）よう、また、銃器１１０Ａがホルスタ１１０Ｂに再配置されたときに自動的に記録を停止するようにトリガされ得る。ダッシュボードのカメラデバイス２００Ｃはまた、記録を開始及び停止するよう、ボディカメラデバイス２００Ｂに信号を送信し得る。
【００６０】
いくつかの実施形態では、トリガ信号１７４は、物体１１０Ａ〜１１０Ｈの使用に至るイベントが記録され得るように、ボディカメラデバイス２００Ｂ及びダッシュボードのカメラデバイス２００Ｃをトリガして、トリガ前の既定のバッファ期間外に記録されたビデオ画像の削除を停止するように構成されてもよい。換言すれば、ボディカメラデバイス２００Ｂ及びダッシュボードのカメラデバイス２００Ｃは、回路機構がビデオ記録デバイスをトリガする前のごく最近の部分以外のビデオ画像を削除する一方、既定の時間の長さに対応する、ビデオ画像のごく最近の部分のみを継続的に記録し、保存するように構成されてもよい。次いで、トリガ信号１７４に応答して、ボディカメラデバイス２００Ｂ及びダッシュボードカメラデバイス２００Ｃは、ビデオ画像のごく最近の部分以外のビデオ画像の削除を停止するように構成されてもよい。いくつかの実施形態では、約３０秒のビデオは、トリガ信号１７４の前に一度、ビデオ記録デバイスに維持されてもよく、その結果、３０秒のビデオが物体１１０Ａ〜１１０Ｈの使用検出に至る場合がある。
【００６１】
回路機構４０２はまた、ボディカメラデバイス２００Ｂ及びダッシュボードのカメラデバイス２００Ｃに識別（ＩＤ）信号４０４を提供するように構成されてもよい。ＩＤ信号４０４は、トリガ信号１７４をトリガしたセンサ１１２Ａ〜１１２Ｌの信号及び／又は物体１１０Ａ〜１１０Ｈの信号を識別する。ボディカメラデバイス２００Ｂ及びダッシュボードのカメラデバイス２００Ｃは、トリガ信号１７４をトリガしたセンサ１１２Ａ〜１１２Ｌ及び／又は物体１１０Ａ〜１１０Ｈを示す情報を（例えば、記憶域デバイス２４０内に）格納するように構成されてもよい。したがって、トリガイベントに次ぐ又はそれに至るイベントの記録のみではなく、トリガイベントをトリガした物体又はセンサの記録も、ボディカメラデバイス２００Ｂ及びダッシュボードのカメラデバイス２００Ｃによって記録され得る。
【００６２】
いくつかの実施形態では、回路機構４０２としては、無線通信回路機構が挙げられる。非限定的な例として、回路機構４０２としては、ボディカメラデバイス２００Ｂ及びダッシュボードのカメラデバイス２００Ｃの通信素子２１０（例えば、低電力無線通信回路機構）と通信する、低電力のローカルエリアネットワーク（ＬＡＮ）無線通信回路機構（例えば、低電力Ｂｌｕｅｔｏｏｔｈ）が挙げられ得る。一部のよく知られたローカルエリアネットワーク通信は、デバイス間のペアリングを使用するが、低電力Ｂｌｕｅｔｏｏｔｈは、ペアリングなしで動作し得る（このため、ペアリングで動作するよりも消費電力が少なくなり得る）。また、低電力Ｂｌｕｅｔｏｏｔｈは、一方向の通信（例えば、回路機構４０２からボディカメラデバイス２００Ｂ及びダッシュボードのカメラデバイス２００Ｃへの通信）を可能にする。いくつかの実施形態では、回路機構４０２は、低電力Ｂｌｕｅｔｏｏｔｈを使用し、ペアリング機能を受けず、一方向通信のみにかかわりながら通信するように構成されてもよい。このようにして、省電力により、一度で数ヶ月又は数年は電池交換を必要としない、低容量バッテリ（例えば、ボタンバッテリ）の使用が可能になり得る。
【００６３】
いくつかの実施形態では、回路機構４０２とボディカメラデバイス２００Ｂ及びダッシュボードのカメラデバイス２００Ｃとの間で、ペアリング機能が使用されてもよい（例えば、従来のＢｌｕｅｔｏｏｔｈを使用）。いくつかの実施形態では、回路機構４０２は、他の無線通信（例えば、ＷｉＦｉ通信、セルラー無線ネットワーク、Ｚｉｇｂｅｅネットワークなど）を使用してもよい。いくつかの実施形態では、回路機構４０２は、有線通信を使用してもよい。非限定的な例として、ベルト４６０は、センサ１１２Ａ〜Ｈ、回路機構４０２、及びボディカメラデバイス２００Ｂをインターフェイスで接続する配線ハーネスとして役立ち得る。いくつかの実施形態では、回路機構４０２は、有線及び無線通信の両方を使用してもよい。
【００６４】
いくつかの実施形態では、物体１１０Ａ〜１１０Ｈのそれぞれは、その独自の回路機構４０２を含んでもよい。いくつかの実施形態では、回路機構４０２は、物体１１０Ａ〜−１１０Ｈとは分離されてもよい。いくつかの実施形態では、回路機構４０２は、物体１１０Ａ〜１１０Ｈに組み込まれてもよい。
【００６５】
いくつかの実施形態では、情報キャプチャシステム１００Ａは、物体１１０Ａ〜１１０Ｈ及び／又はセンサ１１２Ａ〜１１２Ｌのうちの１つ又はいくつかのみを含んでもよい。非限定的な例として、システム１００Ａは、銃器１１０Ａ、銃器ホルスタ１１０Ｂ、及び銃器ホルスタセンサ１１２Ｂのみを含んでもよい。いくつかの実施形態では、情報キャプチャシステム１００Ａは、物体１１０Ａ〜１１０Ｈ及び１１２Ａ〜１１２Ｈの代わりに又はそれに加えて、他の物体及びセンサを含んでもよい。非限定的な例として、情報キャプチャシステム１００Ａとしては、センサ又は複数のセンサが装備された胴体防護具又は防弾チョッキが挙げられ得、これにより、検出された衝撃（例えば、法執行官４００の身体への発砲又は他の打撃）に応答してボディカメラデバイス２００Ｂ及びダッシュボードのカメラデバイス２００Ｃをトリガすることが可能になる。また、非限定的な例として、法執行車両のバンパーは、衝撃（例えば、別の車両又は静止物体との衝撃）に応答してボディカメラデバイス２００Ｂ及びダッシュボードのカメラデバイス２００Ｃをトリガすることを可能にするため、センサが装備されてもよい。
【００６６】
更なる非限定的な例として、地理的位置情報センサ１１２Ｌは、法執行官４００が既定の場所（例えば、留置場、事件現場など）に入ったときに、ボディカメラデバイス２００Ｂをトリガし得る。地理的位置情報センサ１１２Ｌはまた、法執行官４００が既定の場所を離れたときに、ボディカメラデバイス２００Ｂをトリガし得る（例えば、記録するため、記録したデータの蓄積を開始する又は削除を停止するため、記録を停止するため、記録したデータの蓄積を停止する又は削除を開始するため、など）。非限定的な例として、トリガは、法執行官４００が地理的位置情報センサ１１２Ｌの範囲に入った又はそこから離れたことへの応答であってよく、地理的位置情報センサ１１２Ｌは、対象の場所に位置する壁、天井、又は他の静止若しくは可動性物体に固定されてもよい。これは、全地球測位システム（ＧＰＳ）デバイス（例えば、スマートウォッチ１１２Ｊ、ウェアラブルパッチ１１２Ｋ、コンピュータ４０２などの内部）を用いて実行することもできる。例えば、トリガは、法執行官４００が既定の場所又は既定の場所の近傍（例えば、事前設定された範囲）に入る又はそこを離れることに応答して発生し得る。
【００６７】
いくつかの実施形態では、地理的位置情報センサ１１２Ｌは、動作検出器（図示せず）と共に機能し得る。例えば、地理的位置情報センサ１１２Ｌは、動作検出器が、付近での動作を検出していないときに電力を節約するために低電力モードで機能し得る。
【００６８】
本明細書では、他のセンサが想到される（例えば、法執行車両の既定速度超過に応答してトリガを生成するセンサ、警棒に組み込まれたセンサ、ナイフ又はナイフのさやに組み込まれたセンサなど）。例えば、スマートウォッチ１１２Ｊ及び／又はウェアラブルパッチ１１２Ｋとしては、生体認証センサ（例えば、心拍センサ、加速度計、ジャイロメータなど）が挙げられ得る。特定の非−限定的な例として、法執行官４００の心拍数が既定のレベルより上昇した場合、法執行官４００が慎重を要する局面に直面していると判別され得る（例えば、身体的負担を必要とする、又は法執行官４００の心拍数を上昇させる情動反応を引き起こす局面など）。また、非限定的な例として、加速度計又はジャイロメータは、損傷を被っている法執行官４００に関連していることが見込まれる、法執行官４００の動作又は法執行官４００への衝撃を感知でき得る。これら及び他の生態計測的に感知されるイベントは、ボディカメラデバイス２００Ｂ及び／又はダッシュボードのカメラデバイス２００Ｃをトリガし得る。
【００６９】
いくつかの実施形態では、センサ１１２Ａ〜Ｈのうちのいずれか１つ以上は、最適な又は所望の性能を達成すると同時に、電力を節約するように構成され得る。電力を節約し、最適な性能に達するように、センサ１１２Ａ〜Ｈからの起動信号の範囲、長さ、及び頻度はカスタマイズされてもよい。起動信号の範囲を広げることにより、センサは、ごく近接した他の法執行官の記録デバイスに達することができ、それによって、対象のイベントは複数の角度からキャプチャされ得る。範囲を狭めることにより、より大きな節電が達成され得る。
【００７０】
いくつかの実施形態では、情報キャプチャシステム１００Ａは、ボディカメラデバイス２００Ｂ及びダッシュボードのカメラデバイス２００Ｃのいずれかのみを含んでもよい。いくつかの実施形態では、情報キャプチャシステム１００Ａは、ボディカメラデバイス２００Ｂ及びダッシュボードのカメラデバイス２００Ｃの代わりに又はそれらの加えて他の記録デバイス２００を含んでもよい。非限定的な例として、情報キャプチャシステムは、眼鏡、ヘルメット、帽子、又は他のウェアラブルな物体に組み込まれた記録デバイス（例えば、ビデオ記録デバイス、音声記録デバイスなど）を含んでもよい。
【００７１】
いくつかの実施形態では、複数の法執行官４００のセンサ１１２及びカメラ２００は、互いに相互作用して、複数のカメラ角度のトリガ及び／又は記録を提供し得る。
【００７２】
特定の例示の実施形態が、図に関連して記載されているが、当業者は、本開示に包含された実施形態が、本明細書に明示的に表示及び記載された実施形態に限定されないことを認識し、理解するであろう。むしろ、本明細書に記載された実施形態に対する多くの付加、削除、及び変更は、法的同等物を含め、以下に主張されるものなど、本開示によって包含される実施形態の範囲から逸脱することなく行うことができる。加えて、開示される一実施形態の特徴は、発明者が意図したとおり、本開示によって包含される実施形態の範囲内に包含されたまま、開示される別の実施形態の特徴と組み合わせることが可能である。
【図１】
2019503604.tif 000003
【図２】
2019503604.tif 000004
【図３】
2019503604.tif 000005
【図４Ａ】
2019503604.tif 000006
【図４Ｂ】
2019503604.tif 000007
【国際調査報告】
2019503604.tif 000008